(57)【要約】【課題】屋根パネルの支持金具および支持構造を提供すること。【解決手段】支持金具５Ａ，５Ｂは、２つの支持部５３を有して断面視略Ｌ字状に形成された金具本体と、金具本体を補強する補強部とを備えている。各支持部５３にはそれぞれ連結部が形成されている。このため、小屋裏に屋根パネル４１の下端部を支持する束６Ａ，６Ｂを設け、連結部材７を屋根パネル４１の下面に沿って支持金具５Ａ，５Ｂと束６Ａ，６Ｂとの間に掛け渡すことで、屋根パネル４１に対する支持強度を十分に確保することができる。従って、従来束６Ａ，６Ｂ間に設けられていた連結部材を不用にでき、小屋裏空間を連続した大きなひとつの空間として利用することができる。また、当該支持金具５Ａ，５Ｂを支える支柱無しに屋根パネル４１を支持することができるので、小屋裏空間内に立設される支柱の数を減らすことができ、小屋裏空間を利用しやすい空間にできる。【選択図】図１
2008127902.tif 000002
【特許請求の範囲】
【請求項１】
傾斜屋根を構成する複数の屋根パネルを、束と共に支持する屋根パネルの支持金具であって、
互いに突き合わされて棟を形成する各屋根パネルの上端部下面を受ける２つの支持部を有して断面視略Ｌ字状に形成された金具本体と、
前記各支持部に接合されて前記金具本体を補強する補強部とを備え、
前記各支持部の下端部には、前記屋根パネルの下面に沿って配置され、一端側が前記束に連結される連結部材の他端側を連結する連結部が形成されていることを特徴とする屋根パネルの支持金具。
【請求項２】
傾斜屋根を構成する複数の屋根パネルの支持構造であって、
請求項１に記載の支持金具と、前記屋根パネルの中間部から下端部にかけた下面のいずれかの部位を支持する束とを備え、
前記支持金具および前記束は、前記屋根パネルの下面に沿って配置された連結部材により連結されていることを特徴とする屋根パネルの支持構造。
【請求項３】
請求項２に記載の屋根パネルの支持構造において、
前記支持金具は、棟の直下に２つ設けられるとともに、前記束は、棟の当該棟と直交する方向両側に、それぞれ棟と平行な方向に沿って２つ設けられ、
前記支持金具および前記束には、２本の前記連結部材が対角状に掛け渡されていることを特徴とする屋根パネルの支持構造。
【請求項４】
請求項２または請求項３に記載の屋根パネルの支持構造において、
前記連結部材は、ブレースであることを特徴とする屋根パネルの支持構造。
【発明の詳細な説明】
【技術分野】
【０００１】
本発明は、傾斜屋根を構成する複数の屋根パネルを、束と共に支持する屋根パネルの支持金具、およびこの支持金具と束とを備えた屋根パネルの支持構造に関する。
【背景技術】
【０００２】
従来、複数の屋根パネルを組み合わせ、建物本体の上に立設した複数の束に、それらのパネルを支持させることにより、前記建物本体の上に傾斜屋根を設置することがある（例えば、特許文献１）。この特許文献１に記載の傾斜屋根では、小屋裏の中央部分には、棟に沿って小屋束が立設されている。小屋束の上端部には、一対の支持面を備えた断面視略Ｌ字状の受け材が設けられており、この受け材は、互いに突き合わされて棟を形成する各屋根パネルの上端部下面を支持している。各屋根パネルの下端部下面は、前記小屋束の外側に前記小屋束と平行に設けられた小屋束によって支持されている。
そして、これらの小屋束の隣り合うもの同士は、対角状に設けられた一対のブレースによって連結されており、特許文献１に記載の屋根パネルの支持構造では、ブレースによってこれらの小屋束の棟に沿った方向の剛性を高めることで、屋根パネルに対する支持強度を確保している。
【０００３】
【特許文献１】特開平１０−８６２４号公報
【発明の開示】
【発明が解決しようとする課題】
【０００４】
しかしながら、特許文献１に記載の屋根パネルの支持構造では、小屋裏がこのブレースにより区切られてしまうので、小屋裏に連続した大きな空間を形成することができず、本来広い小屋裏の空間を十分に活用することができないという問題があった。
【０００５】
本発明の目的は、屋根パネルに対する支持強度を損ねることなく、小屋裏に連続した大きな空間を形成できる屋根パネルの支持金具、および屋根パネルの支持構造を提供することにある。
【課題を解決するための手段】
【０００６】
この目的を達成するため、本発明の屋根パネルの支持金具は、以下の構成を備える。
すなわち、図面も参照して説明すると、本発明の屋根パネル４１の支持金具５Ａ,５Ｂは、傾斜屋根を構成する複数の屋根パネル４１を、束６Ａ，６Ｂと共に支持する屋根パネルの支持金具であって、互いに突き合わされて棟を形成する各屋根パネルの上端部下面を受ける２つの支持部５３を有して断面視略Ｌ字状に形成された金具本体５１と、前記各支持部に接合されて前記金具本体を補強する補強部５２とを備え、前記各支持部の下端部には、前記屋根パネルの下面に沿って配置され、一端側が前記束に連結される連結部材７の他端側を連結する連結部５８が形成されていることを特徴とする。
【０００７】
この発明によれば、支持金具は、２つの支持部を有して断面視略Ｌ字状に形成された金具本体と、各支持部に接合する補強部とを備えて構成されている。そして、各支持部にはそれぞれ連結部が形成されている。
このため、小屋裏に屋根パネルの下端部を支持する束を設け、連結部材を屋根パネルの下面に沿って支持金具と前記束とに掛け渡すことで、支持部が屋根パネルからうける荷重のうち、鉛直方向成分の荷重を、連結部材を介して前記束で受けることができ、屋根パネルを支持することができる。この際、支持金具と束とを連結部材で連結するので、支持金具および束の棟に沿った方向の剛性も、十分に確保することができる。従って、従来前記束間に設けられていた連結部材を不用にすることができ、小屋裏空間を連続した大きなひとつの空間として利用することができる。さらに、支持金具を支える支柱を小屋裏に立設することなく屋根パネルを支持できるので、小屋裏空間内に立設される支柱の数を減らすことができ、小屋裏空間を利用しやすい空間にすることができる。
【０００８】
また、前記の目的を達成するため、本発明の屋根パネルの支持構造は、以下の構成を備える。
すなわち、本発明の屋根パネルの支持構造は、傾斜屋根を構成する複数の屋根パネル４１の支持構造であって、請求項１に記載の支持金具５Ａ,５Ｂと、前記屋根パネルの中間部から下端部にかけた下面のいずれかの部位を支持する束６Ａ，６Ｂとを備え、前記支持金具および前記束は、前記屋根パネルの下面に沿って配置された連結部材７により連結されていることを特徴とする。
この発明によれば、前述の発明と同様の支持金具を備え、支持金具と束とが連結部材によって連結されているので、屋根パネルに対する支持強度を十分に確保することができる。従って、従来束間に設けられていた連結部材を不要にすることができ、小屋裏空間を連続した大きなひとつの空間として利用することができるうえ、支持金具を支える支柱を小屋裏に立設することなく屋根パネルを支持できるので、小屋裏空間内に立設される支柱の数を減らすことができ、小屋裏空間を利用しやすい空間にできる。
【０００９】
この際、本発明の屋根パネルの支持構造では、前記支持金具は、棟の直下に２つ設けられるとともに、前記束は、棟の当該棟と直交する方向両側に、それぞれ棟と平行な方向に沿って２つ設けられ、前記支持金具および前記束には、２本の前記連結部材が対角状に掛け渡されていることが好ましい。
この構成によれば、支持金具および束には、２本の連結部材が対角状に掛け渡されているので、屋根パネルに対する支持強度を向上させることができ、より確実に屋根パネルを支持することができる。
【００１０】
さらに、本発明の屋根パネルの支持構造では、前記連結部材は、ブレースであることが好ましい。
この構成によれば、支持金具および束を連結する連結部材としてブレースを用いたので、当該ブレースの張りを容易に調整することができる。そして、ブレースを最適の強さに張ることで、屋根パネルに対する支持強度を確実に確保することができる。
【発明を実施するための最良の形態】
【００１１】
以下、本発明の一実施形態を図面に基づいて説明する。
図１は、本実施形態の屋根パネル４１，４２の支持構造を示す斜視図である。
本実施形態のユニット式建物１は、図１に示すように、基礎２の上に設けられた建物本体３と、この建物本体３の上に設けられた切妻式の傾斜屋根４とを備えて構成されている。
建物本体３は、複数（８個）の箱状の建物ユニット３Ａ，３Ｂが組み合わされることにより形成されている。ここで、建物本体３の外側に配置された建物ユニットを、建物ユニット３Ａとし、建物本体３の内側に配置された建物ユニットを、建物ユニット３Ｂとする。この建物本体３を構成する建物ユニット３Ａ，３Ｂは、図示を省略するが、四隅に立設される４本の柱と、これらの柱の上端間同士および下端間同士を仕口を介して結合する各４本の天井梁および床梁とで構成される一般的な骨組を備えている。
【００１２】
傾斜屋根４は、棟側に設けられた棟側屋根パネル４１と、棟側屋根パネル４１より軒側に設けられた軒側屋根パネル４２とを備えている。傾斜屋根４において、対向する棟側屋根パネル４１同士が突き合わされることにより、棟が形成されている。これらの互いに突き合わされた棟側屋根パネル４１は、上端部下面を棟の直下に配置された支持金具５Ａ，５Ｂによって支持されているとともに、下端部下面を建物本体３の上に配置された束６Ａ，６Ｂによって支持されている。これら支持金具５Ａ，５Ｂおよび束６Ａ，６Ｂは、棟側屋根パネル４１の下面に沿って対角状に掛け渡された連結部材としてのブレース７によって連結されている。
【００１３】
図２は、支持金具５Ａ，５Ｂおよび束６Ａ，６Ｂの配置を示す平面図、図３は、支持金具５Ｂの上面図、図４は、支持金具５Ａ，５Ｂの側面図である。
支持金具５Ａ，５Ｂは、図１および図２に示すように、棟の中央部および両端部直下にそれぞれ配置されている。これらの支持金具５Ａ，５Ｂのうち、棟の中央部直下に配置された支持金具５Ｂは、図３および図４に示すように、金具本体５１および補強部５２から構成されている。
【００１４】
金具本体５１は、略ホームベース形状のプレートから構成された２つの支持部５３から構成されている。金具本体５１は、これら支持部５３の先すぼまり形状の幅狭部５４の頂辺５５同士が互いに連結されて断面視略Ｌ字状に形成されている。支持部５３の幅広部５６の両端には、ブレース７を取り付けるためのブレース取付孔５７が穿設されており、本実施形態では、この幅広部５６のブレース取付孔５７を含んだ端部が、ブレース７が連結される連結部５８となっている。支持部５３の幅広部５６の中央側には、棟側屋根パネル４１を固定するための複数（６個）のボルト孔５９が２列に穿設されている。
補強部５２は、図４に示すように、各支持部５３の下面に垂直に接続されたプレートから構成され、金具本体５１を補強してる。
【００１５】
一方、棟の両端部直下に配置される支持金具５Ａは、それぞれ、支持金具５Ｂを補強部５２が含まれるように略中央で切断したものと同様の形状を有しており、各支持部５３には、１つのブレース取付孔５７と、縦一列に配置された３つのボルト孔５９とが設けられている。
【００１６】
これら支持金具５Ａ，５Ｂは、両支持部５３にブレース７が取り付けられ、このブレース７によって支持されることで、支柱で支えられることなく、建物本体３上に設置される。そして、棟側屋根パネル４１側の図示しないボルト孔と、支持部５３のボルト孔５９とに図示しないボルトが挿通され、ナットで締められることにより、棟側屋根パネル４１の上端部が支持部５３に支持固定される。この際、支持部５３が棟側屋根パネル４１から受ける荷重のうち、棟に沿った方向および鉛直方向成分の荷重は、ブレース７を介して束６Ａ，６Ｂに伝達される。なお、図１に示すように、支持金具５Ｂの各支持部５３上には、並列する２枚の棟側屋根パネル４１が固定される。従って、支持金具５Ｂは、これら並列する２枚の棟側屋根パネル４１を連結する役割も果たしている。
【００１７】
棟側屋根パネル４１の下端部下面を支持するとともに、ブレース７を介して支持金具５Ａ，５Ｂにかかる荷重の一部を受ける束６Ａ，６Ｂは、図１および図２に示すように、棟の当該棟と直交する方向両側に、それぞれ棟と平行な方向に沿って設けられている。各束６Ａ，６Ｂは、支持金具５Ａ，５Ｂと同様の間隔をあけて建物本体３の上に設けられている。詳述すると、建物本体３の棟と平行な方向両端に配置された束６Ａは、建物ユニット３Ａ，３Ｂの仕口に跨って設けられ、これらの束６Ａの中央に配置された束６Ｂは、４つの建物ユニット３Ａ，３Ｂの仕口に跨って設けられている。
【００１８】
束６Ａ，６Ｂは、図１に示すように、建物ユニット３Ａ，３Ｂに固定されるベースプレート部６１と、ベースプレート部６１の上に設けられた角筒状部材からなる支柱部６２と、支柱部６２の上部に取付部材６３によって取り付けられた支持部６４とを備えている。
これらの束６Ａ，６Ｂのうち、束６Ｂの支持部６４の上部両端には、図示を省略するが、ブレース７を取り付けるためのブレース取付孔が穿設され、支持部６４の中央側には、棟側および軒側屋根パネル４１，４２を固定するための複数のボルト孔が穿設されている。一方、束６Ａの支持部６４は、束６Ｂの支持部６４を略中央で切断したものと同様の形状を有しており、束６Ａの支持部６４には、１つのブレース取付孔と、束６Ｂの支持部６４に設けられたボルト孔の半分の数のボルト孔とが設けられている。
【００１９】
そして、これら束６Ａ，６Ｂの各支持部６４上に棟側屋根パネル４１の下端部下面がそれぞれ固定されることで、棟側屋根パネル４１は、上端部および下端部それぞれが支持金具５Ａ，５Ｂおよび束６Ａ，６Ｂによって支持固定されることになり、建物本体３上に設置される。
【００２０】
図５は、ブレース７との連結状態を示す支持金具５Ｂの正面図、図６は、ブレース７の拡大図である。
ブレース７は、図５および図６に示すように、両端に配置された取付プレート７１と、これらの取付プレート７１に一端が固着された２本のねじ棒部材７２，７３と、これらのねじ棒部材７２，７３の他端に形成されたねじ部７２Ａ，７３Ａに螺合するターンバックル７４とから構成されている。
【００２１】
各取付プレート７１には、取付孔７１Ａが穿設されている。各取付プレート７１は、取付孔７１Ａと、支持金具５Ａ，５Ｂおよび束６Ａ，６Ｂの支持部５３，６４のブレース取付孔５７とに図示しないボルトが挿入され、当該ボルトがナットで締められることにより、支持金具５Ａ，５Ｂおよび束６Ａ，６Ｂの支持部５３，６４に連結される。
【００２２】
各ねじ棒部材７２，７３の他端側に形成されたねじ部７２Ａ，７３Ａは、互いに逆ねじとなっており、ターンバックル７４に穿設されたねじ孔にそれぞれ螺合している。従って、取付プレート７１を、支持金具５Ａ，５Ｂおよび束６Ａ，６Ｂの支持部５３，６４に連結した後に、ターンバックル７４を所定方向に回し、ねじ棒部材７２同士を、互いに近づく方向、あるいは、遠ざかる方向に移動させることで、ブレース７の張力を適切な張力に調整することができるようになっている。
【００２３】
図１に示すように、建物本体３の周縁には、棟と平行な方向に沿って、かつ、支持金具５Ａ，５Ｂと同様の間隔をあけてブラケット８Ａ，８Ｂが設けられている。詳述すると、建物本体３の棟と平行な方向両端に配置されたブラケット８Ａは、建物ユニット３Ａの角部の仕口上に設けられ、これらのブラケット８Ａの中央に配置されたブラケット８Ｂは、隣接する建物ユニット３Ａの仕口に跨って設けられている。
【００２４】
中央に配置されたブラケット８Ｂの支持部８１の中央側には、図示を省略するが、軒側屋根パネル４２を固定するための複数のボルト孔が穿設されている。また、建物本体３の棟と平行な方向両端に配置されたブラケット８Ａは、ブラケット８Ｂを略中央で切断した形状と同様の形状を有している。軒側屋根パネル４２は、上端部を束６Ａ，６Ｂに支持され、下端部をこれらのブラケット８Ａ，８Ｂに支持されることにより、建物本体３上に設置されている。なお、４つの建物ユニット３Ａ，３Ｂの仕口に跨って設けられた束６Ｂは、棟側および軒側屋根パネル４１，４２を各２枚ずつ支持している。また、隣接する建物ユニット３Ａの仕口に跨って設けられたブラケット８Ｂは、２枚の軒側屋根パネル４２を支持している。
【００２５】
以上のように、複数の屋根パネル４１，４２から構成された傾斜屋根４は、支持金具５Ａ，５Ｂ、束６Ａ，６Ｂ、およびブラケット８Ａ，８Ｂにより支持され、建物本体３上に設けられている。この際、本実施形態では、ブレース７が棟側屋根パネル４１の下面に沿って支持金具５Ａ，５Ｂおよび束６Ａ，６Ｂに掛け渡されているので、支持部５３が棟側屋根パネル４１から受ける荷重のうち、鉛直方向成分の荷重をブレース７を介して束６Ａ，６Ｂで受けることができ、棟側屋根パネル４１を支持することができる。
【００２６】
また、ブレース７が対角状に掛け渡されているので、支持金具５Ａ，５Ｂおよび束６Ａ，６Ｂの棟に沿った方向の合成も確保することができ、従来、束６Ａと束６Ｂとの間に設けられていたブレースを不要にすることができる。従って、ブレース７によって小屋裏空間が遮られることがなく、小屋裏空間を連続した大きなひとつの空間として利用することができる。そして、当該小屋裏空間を居室や収納部屋として、より有効に利用できる。また、支持金具５Ａ，５Ｂは、支柱なしに棟側屋根パネル４１を支持できるので、小屋裏空間内に立設される支柱の数を減らすことができ、小屋裏空間をさらに利用しやすい空間にすることができる。
【００２７】
このような実施形態によれば、次のような効果がある。
（１）支持金具５Ａ，５Ｂは、支持部５３の頂辺５５同士が連結されて断面視略Ｌ字状に形成された金具本体５１と、各支持部５３に接合する補強部５２とを備えて構成されている。そして、各支持部５３にはそれぞれ連結部５８が形成されている。
このため、棟側屋根パネル４１の下面に沿って支持金具５Ａ，５Ｂと束６Ａ，６Ｂとの間にブレース７を掛け渡すことで、支持部５３が棟側屋根パネル４１から受ける荷重のうち、鉛直方向成分の荷重をブレース７を介して束６Ａ，６Ｂで受けることができ、棟側屋根パネル４１を支持することができる。
そして、支持金具５Ａ，５Ｂと束６Ａ，６Ｂとの間にブレース７が対角状に掛け渡されているので、支持金具５Ａ，５Ｂおよび束６Ａ，６Ｂの棟に沿った方向の合成も確保することができる。従って、従来、束６Ａと束６Ｂとの間に設けられていたブレースを不要にすることができ、小屋裏空間を連続した大きなひとつの空間として利用することができる。また、支持金具５Ａ，５Ｂを支える支柱を小屋裏に立設することなく、棟側屋根パネル４１を支持することができるので、小屋裏空間内に立設される支柱の数を減らすことができ、小屋裏空間を利用しやすい空間にすることができる。
【００２８】
（２）支持金具５Ａ，５Ｂは、プレートからなる２つの支持部５３および補強部５２から構成されているので、構造が単純で、製作を容易にできる。また、支持部５３が補強部５２に垂直に接合されているので、支持金具５Ａ，５Ｂの強度を向上させることができる。
【００２９】
（３）支持金具５Ａ，５Ｂおよび束６Ａ，６Ｂには、２本のブレース７が対角状に掛け渡されているので、棟側屋根パネル４１に対する支持強度を向上させることができ、より確実に棟側屋根パネル４１を支持することができる。
【００３０】
（４）支持金具５Ａ，５Ｂおよび束６Ａ，６Ｂを連結する連結部材としてブレース７を用いたので、当該ブレース７の張りを容易に調整することができる。そして、ブレース７を最適の強さに張ることで、棟側屋根パネル４１に対する支持強度を確実に確保することができる。
【００３１】
なお、本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、数量、その他の詳細な構成において、当業者が様々な変形を加えることができるものである。
従って、上記に開示した形状、数量などを限定した記載は、本発明の理解を容易にするために例示的に記載したものであり、本発明を限定するものではないから、それらの形状、数量などの限定の一部もしくは全部の限定を外した部材の名称での記載は、本発明に含まれるものである。
【００３２】
すなわち、前記実施形態では、支持金具５Ａ，５Ｂの補強部５２は、プレートから構成されていたが、補強部５２は円筒状や角柱状のものから構成されていてもよく、プレートから構成されることに限定されない。また、前記実施形態では、補強部５２は、支持部５３に対して垂直に接合されていたが、必ずしも垂直に接合される必要はない。
【００３３】
前記実施形態では、支持金具５Ａ，５Ｂと束６Ａ，６Ｂとを連結する連結部材として、張りを調整できるブレース７を用いたが、連結部材は、張りを調整できない鉄骨から構成されていてもよい。
前記実施形態では、支持金具５Ａ，５Ｂにおける連結部５８には、ブレース取付孔５７が設けられていたが、連結部５８は、連結部材を連結できれば良く、ブレース取付孔５７が設けられていなくてもよい。なお、連結部材として鉄骨を用い、当該鉄骨を支持部に溶接する場合には、支持部において鉄骨が溶接される部分が連結部となる。
また、連結部材は、持金具５Ａ，５Ｂと束６Ａ，６Ｂとを連結していればよく、対角状に張られることに限定されない。
【００３４】
前記実施形態では、傾斜屋根４は、ユニット式建物１の上に設けられていたが、傾斜屋根４は、軸組材を建築現場で組んで骨組みを形成する在来工法による建物の上に設けられていてもよい。
前記実施形態では、傾斜屋根４は、切妻式であったが寄棟式でも良く、切妻式であることに限定されない。
【００３５】
前記実施形態では、束６Ａ，６Ｂは、棟側屋根パネル４１の下端部下面を支持していたが、棟側屋根パネル４１の中間部から下端部にかけた下面のいずれかの部位を支持していればよい。
また、束６Ａ，６Ｂは、棟側屋根パネル４１を支持できるとともに、連結部材で支持金具５Ａ，５Ｂに連結されていれば良く、前記実施形態のものに限定されない。
【産業上の利用可能性】
【００３６】
本発明は、住宅や店舗等の建物上に設置される屋根パネルの支持金具および支持構造に利用できる。
【図面の簡単な説明】
【００３７】
【図１】本発明の一実施形態に係る屋根パネルの支持構造を示す斜視図である。
【図２】前記実施形態の支持金具および束の配置を示す平面図である。
【図３】前記実施形態の支持金具の上面図である。
【図４】前記実施形態の支持金具の側面図である。
【図５】前記実施形態のブレースとの連結状態を示す支持金具の正面図である。
【図６】前記実施形態のブレースの拡大図である。
【符号の説明】
【００３８】
４     傾斜屋根
５Ａ，５Ｂ    支持金具
６Ａ，６Ｂ    束
７     ブレース（連結部材）
４１   棟側屋根パネル（屋根パネル）
５１   金具本体
５２   補強部
５３   支持部
５８   連結部
【図１】
2008127902.tif 000003
【図２】
2008127902.tif 000004
【図３】
2008127902.tif 000005
【図４】
2008127902.tif 000006
【図５】
2008127902.tif 000007
【図６】
2008127902.tif 000008